(57)【要約】【課題】加熱定着後の記録媒体の冷却と定着部以外の部分（特に，定着装置上方に配置される画像読み取り部）の高温化防止とが適切になされるとともに，定着部から熱を奪うことを極力防止できること。【解決手段】画像形成装置Ｘの定着部２１による加熱定着後の記録媒体（用紙）を第１搬送路４２で上方へ導き，さらに第２搬送路４３で略水平方向に導く場合に，第２搬送路４３の上方の位置の空気を排気する排気ダクト５１及び排気ファン５２を設け，第２搬送路４３を通過する記録媒体から熱を奪うとともに，定着部２１で発生する加熱空気から定着部以外の部分（特に，定着装置上方に配置される画像読み取り部１のコピーランプユニット３２）へ熱が伝達して高温化することを防止する。また，第２搬送路４３及びそれを通過する記録媒体が断熱層の役割を果たして定着部２１から必要以上に熱を奪う（冷却する）ことを防止できる。【選択図】図１
2004340988.tif 000002
【特許請求の範囲】
【請求項１】
記録媒体に画像を形成する画像形成部と，画像形成後の記録媒体に画像を加熱定着させる定着部とを具備する画像形成装置において，
前記定着部による加熱定着後の記録媒体を上方向へ導く第１搬送路と，
前記定着部の上方に配置され前記第１搬送路を通過した記録媒体を略水平方向に導く第２搬送路と，
前記第２搬送路の上方の位置の空気を排気する排気手段と，
を具備してなることを特徴とする画像形成装置。
【請求項２】
前記排気手段が，強制排気を行うものである請求項１に記載の画像形成装置。
【請求項３】
前記排気手段が，前記第２搬送路の上方の位置から他の位置へ空気を導く排気ダクトを具備してなる請求項１又は２のいずれかに記載の画像形成装置。
【請求項４】
前記第２搬送路の上方に配置され原稿から画像を読み取る画像読み取り手段を具備し，
前記排気手段が，前記第２搬送路と前記画像読み取り手段との間の位置の空気を排気してなる請求項１〜３のいずれかに記載の画像形成装置。
【請求項５】
前記画像読み取り手段を支持する支持部材が，前記排気ダクトを形成してなる請求項４に記載の画像形成装置。
【請求項６】
前記排気ダクトを形成する前記支持部材の内部空間にその気密性を高める内部部材が設けられてなる請求項５に記載の画像形成装置。
【請求項７】
前記内部部材が断熱性部材からなる請求項６に記載の画像形成装置。
【請求項８】
前記定着部と前記第２搬送路との間に断熱壁を具備してなる請求項１〜７のいずれかに記載の画像形成装置。
【発明の詳細な説明】
【０００１】
【発明の属する技術分野】
本発明は，画像形成後の記録媒体に画像を加熱定着させる定着部を具備する画像形成装置に関するものである。
【０００２】
【従来の技術】
複写機，プリンタ，ファクシミリ装置等の画像形成装置では，記録媒体（記録紙等）に画像を形成した後，その記録媒体に画像を定着させるために加熱定着が行われる。
近年，画像形成装置は，その占有面積を少なくするため，装置の下部に配置された記録媒体の供給部（給紙部）から記録媒体を上方向に搬送しながら，その記録媒体に対する現像剤（トナー）の転写による画像形成，及び定着部（定着装置）による加熱定着が行われた後，加熱定着後の記録媒体を略水平方向へ方向転換させて搬送することによって装置外への排出若しくは後処理装置への送出がなされる，又は記録媒体を再循環させて記録媒体両面への画像形成が行われるタイプのものが多く開発されている。また，このようなタイプの画像形成装置では，通常，原稿から画像を読み取る画像読み取り部（スキャナ部）が，装置最上部に配置される。
ここで，加熱定着後の記録媒体は，その変形（カール等）やトナー像の離脱を防止するために冷却することが望ましい。また，高温となる定着部が他の部分を加熱して悪影響を及ぼすことを防止するためには，高温空気を排気することによって他の部分を冷却する必要もある。
例えば，特許文献１には，定着ユニット（定着部）の近傍において空気の排気経路を形成するダクト部を備え，定着ユニットから前記ダクト部への空気の流れを阻止する壁部を設けた画像形成装置が示されている。これは，定着ユニットの高温の空気が，ユニット外へ流出して装置本体内の温度が上昇してしまうことを防止するものである。
また，特許文献２や特許文献３には，記録媒体を略水平方向に搬送するタイプの画像形成装置において，定着装置（定着部）の近傍の空気をダクト等を通じて排気することにより，装置内の温度上昇を防止する画像形成装置が示されている。
一方，近年の省電力化ニーズから，比較的消費電力の大きな加熱ヒータを備える定着装置（定着部）について，その電力消費を極力抑える必要がある。
【０００３】
【特許文献１】
特開２０００−２９８４２２号公報
【特許文献２】
特開平１０−２６８７３５号公報
【特許文献３】
特開昭６０−１９７５６１号公報
【０００４】
【発明が解決しようとする課題】
しかしながら，記録媒体を上方向に搬送しながら加熱定着を行う場合，記録媒体が上昇するとともに，定着部で発生する高温の空気も上昇するため，加熱定着後の記録媒体が冷却されにくいという問題点があった。
さらに，記録媒体を上方向に搬送するタイプの画像形成装置では，画像読み取り部が定着部の上方に配置される場合が多く，この場合，画像読み取り部が異常高温となりやすいという問題点もあった。
これに対し，特許文献１〜３に示されるように，定着部（定着装置）の近傍（例えば，上方近傍等）の空気を排気することによって冷却を行うと，定着部から熱が奪われる結果，定着温度を維持するために定着部（加熱ヒータ）における消費電力が増大する（省電力化のニーズに反する）という問題点があった。
従って，本発明は上記事情に鑑みてなされたものであり，その目的とするところは，加熱定着後の記録媒体の冷却と定着部以外の部分（特に，定着装置上方に配置される画像読み取り部）の高温化防止とが適切になされるとともに，定着部から熱を奪うことを極力防止できる画像形成装置を提供することにある。
【０００５】
【課題を解決するための手段】
上記目的を達成するために本発明は，記録媒体に画像を形成する画像形成部と，画像形成後の記録媒体に画像を加熱定着させる定着部とを具備する画像形成装置において，前記定着部による加熱定着後の記録媒体を上方向へ導く第１搬送路と，前記定着部の上方に配置され前記第１搬送路を通過した記録媒体を略水平方向に導く第２搬送路と，前記第２搬送路の上方の位置の空気を排気する排気手段と，を具備してなることを特徴とする画像形成装置として構成されるものである。
これにより，前記定着部から上昇してくる加熱空気は，前記第２搬送路の上方から排気されるので，前記第２搬送路付近が冷却される結果，前記第２搬送路を搬送される記録媒体（用紙等）が冷却されることになる。
また，排気位置は，前記定着部に対しては，前記第２搬送路を介して配置されるので，該第２搬送路及びそれを通過する記録媒体が断熱層の役割を果たし，従来のように前記定着部の近傍に排気ダクトを配置して排気する場合に比べ，前記定着部から必要以上に熱を奪う（冷却する）ことがなく，定着温度を維持するために前記定着部（のヒータ）の消費電力が増大することがない。
ここで，前記排気手段は，ファン等により強制排気を行うものとすることが，冷却効率を向上させるために望ましい。
また，前記排気手段が，前記第２搬送路の上方の位置から他の位置へ空気を導く排気ダクトを具備するものであれば，効率的な排気ができて好適である。
【０００６】
また，前記第２搬送路の上方に配置され原稿から画像を読み取る画像読み取り手段を具備し，前記排気手段が，前記第２搬送路と前記画像読み取り手段との間の位置の空気を排気するものであれば，前記画像読み取り手段が異常高温となることを防止でき好適である。
この場合，前記画像読み取り手段を支持する支持部材が，前記排気ダクトを形成するものであれば，前記排気ダクトを配置するスペースを別途設ける必要がないので，スペース効率がよくなる。
また，一般に，前記支持部材は板金加工された金属部材である場合が多く，この場合，加熱空気の漏れや，前記支持部材の熱伝達により他の部分を加熱してしまうおそれが生じる。
そこで，前記排気ダクトを形成する前記支持部材の内部空間にその気密性を高める内部部材を設けたり，該内部部材を断熱性部材で構成したりすれば，漏れや熱伝達によって他の部分を加熱してしまうことを防止できる。
【０００７】
また，前記定着部と前記第２搬送路との間に断熱壁を具備するものであれば，前記定着部が冷却されることをより効果的に防止できる。
【０００８】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る画像形成装置Ｘの構成を表す概略断面図，図２は本発明の実施の形態に係る画像形成装置Ｘの斜視図であって原稿読み取り部を除いた状態を表す図，図３は本発明の実施例に係る画像形成装置Ｘ１の斜視図であって原稿読み取り部を除いた状態を表す図である。
【０００９】
まず，図１を用いて，本発明の一実施形態に係る画像形成装置Ｘの構成について説明する。画像形成装置Ｘは，複写機能及びプリンタ機能を併せ持つ複合機である。
本画像形成装置Ｘは，印刷モードとしてコピアモード（複写モード），プリンタモード，ＦＡＸモードを有しており，不図示の操作部からの操作入力や，パーソナルコンピュータ等の外部ホスト装置からの印刷ジョブの受信に応じた印刷モードが，不図示の制御部によって選択される。
図１に示すように，本画像形成装置Ｘは，大きく分けて，最上部の原稿読み取り部１と，その下方に配置されたプリンタ部（画像形成部）２と，そのさらに下方に配置された給紙ユニット部３とを備えている。
原稿読み取り部１は，装置の外装前面部に配置される操作パネル（不図示）上の条件入力キー（印刷枚数／印刷倍率等々）の入力後に，操作パネルのスタートキーが操作されるとコピー動作を開始し，プラテンガラス３１上に載置された原稿の画像を読み取る。即ち，コピーランプユニット３２のコピーランプ３２ａ（光源）が点灯し，コピーランプユニット３２が水平移動しながら原稿への露光が開始される。コピーランプ３２ａにより原稿に照射された照射光は，原稿の画像情報を含む反射光（原稿からの反射光）となり，該反射光は，コピーランプユニット３２に設けられた第１ミラー３２ｂから第２ミラー３３，第３ミラー３４，光学レンズ３５から，ＣＣＤ３６へ入力されることによって読み取られる。
このようにして読み取られた画像情報は，不図示の制御部が備えるＣＣＤ回路で，光の画像情報が電気的信号に変換され，その画像情報信号は，設定された条件で画像処理が行われ，光走査ユニット６へプリントデータとして送信される。
【００１０】
プリンタ部２は，記録媒体（用紙）に現像剤（トナー）による画像形成を行う電子写真プロセス部２０と，画像形成後の記録媒体を定着ローラ２１ａ（加熱ローラ）と加圧ローラ２１ｂとの間に挟み込むことにより，記録媒体に像（トナー像）を加熱定着する定着ユニット２１（定着部）とを具備している。この定着ローラ２１ａの内部には，ヒータが設けられており，このヒータへの供給電力は，定着ローラ２１ａの温度を検出する温度センサ２１ｃの検出温度が所定の定着温度に維持されるように，不図示の制御部によって制御される。
電子写真プロセス部２０は電子写真プロセス部２０の略中央に配置され，感光体ドラム４と，これを中心としてその周囲に配置された，帯電ユニット５と，光走査ユニット６と，現像ユニット７と，転写ユニット８と，クリーニングユニット９とを具備している。
帯電ユニット５は，感光体ドラム４の表面を均一に帯電させるものであり，光走査ユニット６は，均一に帯電された感光体ドラム４上に光像を走査して静電潜像を書き込むもの，現像ユニット７は，光走査ユニット６によりプリントデータに従って書き込まれた静電潜像を現像剤により顕像化するものである。
また，転写ユニット８は，感光体ドラム４上に記録再現された画像を記録紙等の記録媒体上に転写するものであり，クリーニングユニット９は，感光体ドラム４上に残留した現像剤を除去して，感光体ドラム４上に新たな画像を記録することができるようにするものである。
なお，このクリーニングユニット９により除去された残留現像剤は，現像ユニット７の現像剤供給部１０に回収され，リサイクルされる。なお，本発明に係る画像形成装置は，このように残留現像剤をリサイクルするプロセスを備えているものに限定されるものではなく回収して廃棄する画像形成装置であってもよい。
【００１１】
また，給紙ユニット部３は，複数の記録媒体（記録紙等）がセットされる給紙トレイ（記録媒体供給部）１１・１２・１３・１４を備え，これにより，記録媒体としての多彩な用紙を例えばサイズ毎に各給紙トレイ１１〜１４に分別して収容することができる。
給紙トレイ１１と給紙トレイ１２とは，互いに並列配置され，これらの下側に給紙トレイ１３が配置され，その下側に給紙トレイ１４が配置されている。ここで，給紙トレイ１３及び給紙トレイ１４の各容量は，同程度の容量に構成されている。これに対し，給紙トレイ１１及び給紙トレイ１２の容量は，給紙トレイ１３及び給紙トレイ１４の容量よりも大きく構成されている。
そして，給紙ユニット部３は，給紙トレイ１１〜１４に収容された用紙（記録媒体）をプリンタ部２に向かって搬送するために，第４搬送路１５と第５搬送路１６とを備えている。この第４搬送路１５は，給紙トレイ１１・１３・１４に収容された用紙をプリンタ部２に向かって搬送するものであり，第５搬送路１６は，給紙トレイ１２に収容された用紙をプリンタ部２に向かって搬送するものである。
また，第４搬送路１５は，給紙ユニット部３のフレーム１７に沿って略鉛直方向に延びている。一方，第５搬送路１６は，フレーム１７に沿って略水平方向に延びている。このようにして給紙ユニット部３の内部には，給紙トレイ１１〜１４と，第４搬送路１５と，第５搬送路１６とが効率よく配置され，給紙ユニット部３の省スペース化が実現されている。
なお，各給紙トレイ１１〜１４に用紙をセットする場合は，当該画像形成装置Ｘ本体の前面側方向に目的の給紙トレイ１１〜１４を引き出して用紙の補給を行う。
【００１２】
当該画像形成装置Ｘにおいて記録媒体に画像形成が行われる際には，給紙トレイ１１〜１４の中から１つのトレイが選択され，選択されたトレイから用紙が１枚ずつ分離して搬出される。
給紙トレイ１１〜１４から搬出（供給）された用紙（記録媒体）は，第４若しくは第５搬送路１５，１６を経由後，第３搬送路４１を上方向へ搬送されて感光体ドラム４と転写ユニット８との間に供給される。そして，供給された用紙に，転写ユニット８によって感光体ドラム４上に記録再現された画像が転写される。画像形成後の用紙は，さらに上方に配置された定着ユニット２１（定着部）に搬送され，該定着ユニット２１においてトナー像が加熱定着される。
そして，前記定着ユニット２１による加熱定着後の用紙は，第１搬送路４２内に送出されることによってさらに上方向へ導かれ，さらに，前記定着ユニット２１の上方に配置された第２搬送路４３へ搬送される。
前記第２搬送路４３は，前記第１搬送路を通過した用紙（加熱定着後の用紙）を略水平方向へ方向転換させて搬送する経路であり，これにより用紙の装置外の排紙トレイ２ａへの排出若しくは後処理装置（不図示）への送出がなされる，又は用紙がターンバックにより第６搬送路４４へ再循環されて用紙両面への画像形成が行われる。
【００１３】
本画像形成装置Ｘのように，用紙を上方向に搬送しながら加熱定着を行うタイプの場合，用紙が上昇する（上方向へ搬送される）とともに，前記定着ユニット２１で発生する高温の空気も上昇するため，加熱定着後の用紙が冷却されにくい。さらに，前記原稿読み取り部１（前記画像読み取り手段の一例）における前記コピーランプユニット３２の停止位置となる部分は，前記第１搬送路４２及び第２搬送路４３の上方（即ち，前記定着ユニット２１の上方）に配置されているため，前記定着ユニット２１による加熱空気が上昇することにより異常高温となりやすく，これが前記コピーランプユニット３２の故障の原因となる。
そこで，本画像形成装置Ｘは，前記第２搬送路４３と前記原稿読み取り部１の前記コピーランプユニット３２（の停止位置）部分との間に排気ダクト５１が配置され，これを通じて前記第２搬送路４３の上方の空気が強制排気されるよう構成されている。即ち，前記第２搬送路４３の上方の空気は，前記排気ダクト５１によってその下方に設けられた開口から画像形成装置Ｘの側面（図１に向かって左側の側面）へ導かれ，その側面に設けられた排気ファン５２によって装置外（他の位置）へ強制排気される（前記排気ダクト５１及び前記排気ファン５２が前記排気手段の一例）。
これにより，前記定着ユニット２１から上昇してくる加熱空気は，前記第２搬送路４３の上方に配置された前記排気ダクト５１を介して排出されるので，前記第２搬送路４３付近が冷却される結果，前記第２搬送路４３を搬送される用紙が冷却されることになる。
また，前記排気ダクト５１は，前記定着ユニット２１に対しては，前記第２搬送路４３を介して配置されるので，該第２搬送路４３及びそれを通過する用紙が断熱層の役割を果たし，従来のように前記定着ユニット２１の近傍に排気ダクトを配置する場合に比べ，前記定着ユニット２１から必要以上に熱を奪う（冷却する）ことがなく，定着温度を維持するために前記定着ユニット２１（の加熱ヒータ）の消費電力が増大することがない。
なお，本実施の形態における前記排気ダクト５１は，前記第２搬送路４３の上方の位置から装置外（側面）へ空気を導くものであるが，スペース的に許されるのであれば，例えば，前記第２搬送路４３の上方の位置の空気の全部又は一部を前記定着ユニット２１（前記他の位置の一例）へ循環させるよう構成して前記定着ユニット２１の更なる省電力化を図ること等も考えられる。
ここで，前記排気ダクト５１は，前記原稿読み取り部１（画像読み取り手段）を支持する支持部材５０により形成されている。
【００１４】
図２は，画像形成装置Ｘの斜視図であって前記原稿読み取り部１を除いた状態を表すものである。
図２に示すように，前記排気ダクト５１は，画像形成装置Ｘの前後方向に伸びて前記原稿読み取り部１を支持する箱状の支持部材５０の内部空間に形成されている。また，その下面には，前記定着ユニット２１及び前記第２搬送路４３の略鉛直上方となる位置に，前記定着ユニット２１及び前記第２搬送路４３の幅方向（装置の前後方向）の略全体に渡って並ぶ複数の開口５１ａが設けられている。この開口５１ａから前記第２搬送路４３上方の加熱空気が前記排気ダクト５１内に吸い込まれ，前記排気ファン５２によって装置外へ排気される。前記排気ファン５２の配置位置は，装置外に面する位置（本体側面）に限らず，前記排気ダクト５１の途中の位置に設けてもよい。
前記排気ファン５２は，当該画像形成装置Ｘの動作状況に応じて所定の制御部（不図示）により，その回転数が制御される。即ち，画像形成中或いはその前後には，前記排気ファン５２の回転数を高くして冷却性能（排気量）を増大させ，その他の待機時には，前記排気ファン５２の回転数を低くして消費電力の抑制と静音下とが図られている。
また，前記排気ダクト５１への空気の移動をスムーズにするため，前記第２搬送路４３における用紙の案内部材（用紙ガイド）にも開口が設けられている（不図示）。
ここで，前記支持部材５０自体の気密性を高めて（隙間を埋めて）前記排気ダクト５１を形成することは，製作する上で手間であり，金属製の前記支持部材５０は断熱性が低く，前記排気ファン５２により強制排気をしても，熱がその上方に配置される前記原稿読み取り部１へ伝達されてしまう。
そこで，本画像形成装置Ｘでは，前記支持部材５０の内部空間に，その気密性を高めるための断熱性部材からなる内部部材（不図示）が設けられ，前記支持部材５０とその内部部材との２重構造によって前記排気ダクト５１が形成されている。
これにより，前記支持部材５０自体の気密性は低く（隙間が多く）ても，前記排気ダクト５１に吸い込まれた加熱空気の漏れや，排気ダクト自体の熱伝達によって他の部分が加熱されることを防止できる。
前記内部部材の材質としては，断熱性を有する樹脂材料，例えばガラス入りＰＥＴやＰＢＴ等を用いることが考えられる。この場合，樹脂材料等の種類や厚みで必要な断熱度合いを調整でき，例えば，射出成型で製造することも可能である。
また，前記排気ファン５２の排気能力が高い等により，前記支持部材５０の温度上昇を抑えられるのであれば，前記内部部材の材質としては，板金加工で前記支持部材５０に形成される穴や隙間を埋めて気密性を高めるために，断熱性部材ではなく，薄手のシート部材（ＰＥＴ等）を用いることも考えられる。もちろん，前記支持部材５０自体の気密性を高め，前記支持部材５０をそのまま前記排気ダクト５１としてもよい。
【００１５】
さらに，図１に示すように，本画像形成装置Ｘには，前記定着ユニット２１と前記第２搬送路４３との間に，前記定着ユニット２１の略全面（上から見て）に渡る断熱壁５３が設けられている。
これにより，前記定着ユニット２１から必要以上に熱が奪われる（冷却する）こと，及び前記第２搬送路４３を搬送中の用紙及びさらにその上方の各部位が前記定着ユニット２１から上昇する加熱空気によって加熱されることをさらに抑えることができる。
また，上記以外にも，本画像形成装置Ｘは，装置内の雰囲気温度の異常上昇を防止するため，不図示のファンを用いて，不図示の所定の排気経路を通じて装置内の空気を装置外に排気する構成を有している。このファンは，装置内の温度が低下し過ぎて前記定着ユニット２１の消費電力が増大しないように，装置内の雰囲気温度を検出する不図示の温度計の検出結果に基づいてその回転数が制御される。即ち，前記雰囲気温度が低い場合にはファンの回転数を低く或いは停止し，前記雰囲気温度が高い場合にファンの回転数を高くするよう制御される。
【００１６】
【実施例】
前述した実施の形態に係る前記画像形成装置Ｘでは，前記排気ダクト５１が，前記原稿読み取り部１の支持部材５０により（その内部空間に）形成されたものであったが，これに限るものでなく，前記排気ダクトを独立して設けたものであってもよい。
図３は，そのような実施例に係る画像形成装置Ｘ１の斜視図であってその原稿読み取り部を除いた状態を表すものである。
この画像形成装置Ｘ１も，前記画像形成装置Ｘと同様の構成を有するものであるが，前記画像読み取り部を支持する支持部材５０’と前記第２搬送路４３上方の空気を排気する排気ダクト５１’とが独立して設けられている点で前記画像形成装置Ｘと異なる。
前記排気ダクト５１’は，その外形をなす部材が，断熱性を有する樹脂材料等からなり，前記支持部材５０’と独立して設けられている以外は，その配置位置や下面に開口５１ａ’が設けられている構成は，前記排気ダクト５１と同様である。このような画像形成装置Ｘ１も，本発明に係る画像形成装置の実施例の１つである。
【００１７】
【発明の効果】
以上説明したように，本発明によれば，画像形成装置の定着部による加熱定着後の記録媒体を第１搬送路で上方へ導き，さらに第２搬送路で略水平方向に導く場合に，第２搬送路の上方の位置の空気を排気する構成を有するので，第２搬送路を通過する記録媒体（用紙）から熱を奪うとともに，定着部で発生する加熱空気から定着部以外の部分（特に，定着装置上方に配置される画像読み取り部）へ熱が伝達して高温化することを防止できる。
さらに，第２搬送路及びそれを通過する記録媒体が断熱層の役割を果たして定着部から必要以上に熱を奪う（冷却する）ことを防止できる結果，定着温度を維持するために定着部（の加熱ヒータ）の消費電力が増大することを防止できる。
【図面の簡単な説明】
【図１】本発明の実施の形態に係る画像形成装置Ｘの構成を表す概略断面図。
【図２】本発明の実施の形態に係る画像形成装置Ｘの斜視図であって原稿読み取り部を除いた状態を表す図。
【図３】本発明の実施例に係る画像形成装置Ｘ１の斜視図であって原稿読み取り部を除いた状態を表す図。
【符号の説明】
１…原稿読み取り部（画像読取り手段）
２…プリンタ部（画像形成部）
３…給紙ユニット部
４…感光体ドラム
２０…電子写真プロセス部
２１…定着ユニット（定着部）
２１ａ…定着ローラ（加熱ローラ）
２１ｂ…加圧ローラ
３２…コピーランプユニット
４２…第１搬送路
４３…第２搬送路
５０，５０’…原稿読み取り部の支持部材
５１，５１’…排気ダクト（排気手段）
５１ａ，５１ａ’…開口
５２…排気ファン（排気手段）
【図１】
2004340988.tif 000003
【図２】
2004340988.tif 000004
【図３】
2004340988.tif 000005